(57)【要約】【課題】凝縮器等から機械室内に冷媒が漏洩した場合に、ショーケースが設置された室内空間において冷媒濃度が一定以上となる領域が形成されることを抑制できるショーケースを提供する。【解決手段】この発明に係るショーケース１００は、筐体１０に形成された機械室１４内に収容され、空気より重い冷媒が内部を流通する凝縮器２を備える。筐体１０の少なくとも一部は室内空間に露出して設置される。機械室１４には、機械室１４内に外気を導入するための給気口１７及び凝縮器２を通過した空気を機械室１４外に排出するための排気口１８が形成される。給気口１７は室内空間に露出している。ショーケース１００は、機械室１４内における冷媒の漏洩を検知する漏洩検知手段と、漏洩検知手段が機械室１４内における冷媒の漏洩を検知した場合に、室内空間に露出した給気口１７を閉塞する閉塞装置３０と、をさらに備える。【選択図】図５
2020134083.tif 000002
【特許請求の範囲】
【請求項１】
貯蔵室及び機械室が形成された筐体と、
前記機械室内に収容され、空気より重い冷媒が内部を流通する凝縮器と、を備え、
前記筐体の少なくとも一部は、室内空間に露出して設置され、
前記機械室には、前記機械室内に外気を導入するための給気口及び前記凝縮器を通過した空気を前記機械室外に排出するための排気口を含む通気口が形成され、
前記通気口の少なくとも一部は、前記室内空間に露出しており、
前記機械室内における前記冷媒の漏洩を検知する漏洩検知手段と、
前記漏洩検知手段が前記機械室内における前記冷媒の漏洩を検知した場合に、少なくとも前記室内空間に露出している前記通気口を閉塞する閉塞手段と、をさらに備えたショーケース。
【請求項２】
前記閉塞手段は、
前記通気口を閉塞可能に開閉するシャッターカーテンと、
前記シャッターカーテンを巻き上げ可能な巻き取り部と、を備えた請求項１に記載のショーケース。
【請求項３】
前記閉塞手段は、
前記通気口の内側に配置された閉塞板と、
前記閉塞板を前記通気口の開口面に平行な回転軸を中心に回転させる軸部と、を備えた請求項１に記載のショーケース。
【請求項４】
前記筐体には、前記通気口よりも高い位置に排出口が形成されるとともに、前記機械室内から前記排出口に通じる排出経路が形成された請求項１に記載のショーケース。
【請求項５】
通常時に前記排出口を閉塞し、前記漏洩検知手段が前記機械室内における前記冷媒の漏洩を検知した場合に、前記排出口を開放する開放手段をさらに備えた請求項４に記載のショーケース。
【請求項６】
前記閉塞手段及び前記開放手段は、一体に設けられる請求項５に記載のショーケース。
【請求項７】
前記漏洩検知手段は、前記機械室内における前記冷媒の濃度を検出可能なセンサを備えるとともに、前記機械室内における前記冷媒の濃度が予め設定された第１の基準濃度以上であることを前記センサが検出した場合に、前記機械室内における前記冷媒の漏洩を検知し、
前記機械室内における前記冷媒の濃度が前記第１の基準濃度より大きい値に予め設定された第２の基準濃度以上であることを前記センサが検出した場合に、当該ショーケースへの電源供給を遮断する電源遮断手段をさらに備えた請求項１から請求項６のいずれか一項に記載のショーケース。
【請求項８】
前記漏洩検知手段が前記機械室内における前記冷媒の漏洩を検知した場合に、前記冷媒の漏洩が発生したことを報知する報知手段をさらに備えた請求項１から請求項７のいずれか一項に記載のショーケース。
【発明の詳細な説明】
【技術分野】
【０００１】
この発明は、ショーケースに関するものである。
【背景技術】
【０００２】
可燃性を有する冷媒を用いた冷蔵ショーケースにおいて、機械室の底板部に複数の連通孔と脚部を備えることで、冷媒漏れの場合に機械室の側面だけでなく下部からも排気ができるものが知られている（例えば、特許文献１参照）。
【先行技術文献】
【特許文献】
【０００３】
【特許文献１】特開２０１２−１０７８２３号公報
【発明の概要】
【発明が解決しようとする課題】
【０００４】
しかしながら、特許文献１に示されるようなショーケースにおいては、冷却用の凝縮器、冷媒配管等から機械室内に冷媒が漏洩した場合に漏洩した冷媒がショーケースの外部へと流出する。冷媒が空気より重いものであった場合、漏洩した冷媒がショーケースが設置された室内空間の床面上に滞留し、当該室内空間において冷媒濃度が一定以上となる領域が形成されてしまう可能性がある。
【０００５】
この発明は、このような課題を解決するためになされたものである。その目的は、凝縮器等から機械室内に冷媒が漏洩した場合に、ショーケースが設置された室内空間において冷媒濃度が一定以上となる領域が形成されることを抑制できるショーケースを提供することにある。
【課題を解決するための手段】
【０００６】
この発明に係るショーケースは、貯蔵室及び機械室が形成された筐体と、前記機械室内に収容され、空気より重い冷媒が内部を流通する凝縮器と、を備え、前記筐体の少なくとも一部は、室内空間に露出して設置され、前記機械室には、前記機械室内に外気を導入するための給気口及び前記凝縮器を通過した空気を前記機械室外に排出するための排気口を含む通気口が形成され、前記通気口の少なくとも一部は、前記室内空間に露出しており、前記機械室内における前記冷媒の漏洩を検知する漏洩検知手段と、前記漏洩検知手段が前記機械室内における前記冷媒の漏洩を検知した場合に、少なくとも前記室内空間に露出している前記通気口を閉塞する閉塞手段と、をさらに備える。
【発明の効果】
【０００７】
この発明に係るショーケースによれば、凝縮器等から機械室内に冷媒が漏洩した場合に、ショーケースが設置された室内空間において冷媒濃度が一定以上となる領域が形成されることを抑制できるという効果を奏する。
【図面の簡単な説明】
【０００８】
【図１】この発明の実施の形態１に係るショーケースの斜視図である。
【図２】この発明の実施の形態１に係るショーケースが備える冷凍サイクルの冷媒回路図である。
【図３】この発明の実施の形態１に係るショーケースの機械室の内部を上から見た斜視図である。
【図４】この発明の実施の形態１に係るショーケースの機械室の要部を模式的に示す斜視図である。
【図５】この発明の実施の形態１に係るショーケースが備える閉塞装置の構成を模式的に示す斜視図である。
【図６】この発明の実施の形態１に係るショーケースの制御系統の構成を示すブロック図である。
【図７】この発明の実施の形態１に係るショーケースの動作の一例を示すフロー図である。
【図８】この発明の実施の形態２に係るショーケースが備える閉塞装置の構成を説明する図である。
【図９】この発明の実施の形態３に係るショーケースの閉塞装置が未作動時の状態を示す断面図である。
【図１０】この発明の実施の形態３に係るショーケースの閉塞装置が作動時の状態を示す断面図である。
【図１１】この発明の実施の形態３に係るショーケースの背面図である。
【発明を実施するための形態】
【０００９】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１０】
実施の形態１．
図１から図７を参照しながら、この発明の実施の形態１について説明する。図１はショーケースの斜視図である。図２はショーケースが備える冷凍サイクルの冷媒回路図である。図３はショーケースの機械室の内部を上から見た斜視図である。図４はショーケースの機械室の要部を模式的に示す斜視図である。図５はショーケースが備える閉塞装置の構成を模式的に示す斜視図である。図６はショーケースの制御系統の構成を示すブロック図である。そして、図７はショーケースの動作の一例を示すフロー図である。
【００１１】
この実施の形態に係るショーケース１００は、スーパー、コンビニエンスストア等に設置されて飲料や食品等を貯蔵陳列する戸開閉型のクローズド（リーチイン）ショーケースである。なお、ショーケース１００は、貯蔵室を開閉する戸を備えないオープンショーケースであってもよい。
【００１２】
図１に示すように、ショーケース１００は、筐体１０を備えている。筐体１０は、全体として直方体の箱状を呈する。筐体１０には、貯蔵室１１及び機械室１４が形成されている。貯蔵室１１は、その内部に冷却対象となる飲料、生鮮食品等を収納可能な空間である。この貯蔵室１１には、生鮮食品等を陳列するための複数の陳列棚１２が、上下方向に配列されて取り付けられている。貯蔵室１１は、筐体１０における上側に配置されている。筐体１０の下側は、機械室１４になっている。
【００１３】
ここで説明する構成例では、ショーケース１００に扉１３が設けられている。扉１３は、貯蔵室１１の前面側を開閉するものである。扉１３はガラス戸になっており、扉１３が閉じている状態でも扉１３の外から貯蔵室１１の中が視認できるようになっている。この構成例では、扉１３は、予め設定された開閉方向に移動可能な引き戸式である。扉１３の開閉方向は、貯蔵室１１の前面に向かって左右方向である。
【００１４】
ショーケース１００は、図２に示す冷媒回路を備えている。同図に示すように、冷媒回路は、圧縮機３、凝縮器２、膨張弁４及び蒸発器１が、この順序で循環的に冷媒配管７により接続されて構成されている。冷媒配管７等を含む冷媒回路には、冷媒が封入されている。
【００１５】
冷媒回路に封入される冷媒は、地球温暖化係数（ＧＷＰ）の小さいものを用いることが地球環境保護上の観点からいって望ましい。また、冷媒回路に封入される冷媒は可燃性である。この冷媒は空気よりも平均分子量が大きい。すなわち、冷媒は、空気よりも密度が大きく、大気圧下で空気より重い。したがって、冷媒は、空気中では重力方向の下方へと沈んでいく性質を持っている。
【００１６】
このような冷媒として、具体的に例えば、テトラフルオロプロペン（ＣＦ３ＣＦ＝ＣＨ２：ＨＦＯ−１２３４ｙｆ）、ジフルオロメタン（ＣＨ２Ｆ２：Ｒ３２）、プロパン（Ｒ２９０）、プロピレン（Ｒ１２７０）、エタン（Ｒ１７０）、ブタン（Ｒ６００）、イソブタン（Ｒ６００ａ）、１．１．１．２−テトラフルオロエタン（Ｃ２Ｈ２Ｆ４：Ｒ１３４ａ）、ペンタフルオロエタン（Ｃ２ＨＦ５：Ｒ１２５）、１．３．３．３−テトラフルオロ−１−プロペン（ＣＦ３−ＣＨ＝ＣＨＦ：ＨＦＯ−１２３４ｚｅ）、二酸化炭素（ＣＯ２：Ｒ７４４）等の中から選ばれる１つ以上の冷媒からなる（混合）冷媒を用いることができる。
【００１７】
圧縮機３は、冷媒を圧縮して当該冷媒の圧力及び温度を高める。圧縮された冷媒は、圧縮機３から吐出される。圧縮機３は、例えば、ロータリ圧縮機、スクロール圧縮機、レシプロ圧縮機等を用いることができる。
【００１８】
凝縮器２は、圧縮機３から吐出された冷媒と周囲の空気との間で熱交換させ、冷媒を放熱させて凝縮させる。凝縮器ファン６は、凝縮器２により加熱された空気を送り出すとともに、凝縮器２の周囲に新たな空気を送り込むことで、凝縮器２における熱交換を促進する。
【００１９】
膨張弁４は、凝縮器２で凝縮された冷媒を膨張させ、当該冷媒を減圧する。膨張弁４は、例えば、リニア電子膨張弁（ＬＥＶ：Ｌｉｎｅａｒ  Ｅｌｅｃｔｒｉｃ  ｅｘｐａｎｓｉｏｎ  Ｖａｌｖｅ）、又は、キャピラリーチューブである。キャピラリーチューブは、内径が０．６〜２ｍｍ程度の銅細管である。絞り膨張用としてキャピラリーチューブを用いることで、ＬＥＶよりも安価で冷媒の圧力及び温度を低下させることが可能である。
【００２０】
蒸発器１は、膨張弁４で減圧された冷媒と周囲の空気との間で熱交換させ、冷媒に吸熱させて蒸発させる。この際、冷媒と熱交換を行った空気は冷却される。すなわち、蒸発器１は冷却器として働く。蒸発器ファン５は、冷却器としての蒸発器１により冷却された空気を送り出すとともに、蒸発器１の周囲に新たな空気を送り込むことで、蒸発器１における熱交換を促進する。
【００２１】
以上のように構成された冷媒回路を冷媒が循環することで、蒸気圧縮冷凍サイクルが実現される。この冷媒回路により実現された冷凍サイクルは、蒸発器１側と凝縮器２側との間で熱を移動させるヒートポンプとして働く。なお、蒸発器ファン５及び凝縮器ファン６は、例えばプロペラファン、ラインフローファン、シロッコファン等である。
【００２２】
貯蔵室１１内には図示しない吹出口及び吸込口が形成されている。また、筐体１０には、吸込口から吹出口に至る図示しない風路が設けられている。この風路は、貯蔵室１１とは区画された通風路である。この風路内には、蒸発器１と蒸発器ファン５が設けられている。蒸発器ファン５が駆動されると、蒸発器１を通過して生成された冷気が吹出口から貯蔵室１１内に吹き出される。貯蔵室１１内の空気の一部は、吸込口から吸い込まれる。吸込口から吸い込まれた空気は、蒸発器１で冷却されて、吹出口から再び貯蔵室１１内に吹き出される。
【００２３】
図３に示すように、機械室１４内には、凝縮器２、圧縮機３及び凝縮器ファン６が収容されている。また、同図では図示していないが、膨張弁４も機械室１４内に収容される。すなわち、ショーケース１００は、コンデンシングユニットを内蔵した、いわゆる内蔵型ショーケースである。
【００２４】
図１及び図３に示すように、機械室１４の前面側には、前面パネル１５が設けられている。前面パネル１５には、給気口１７が形成されている。図３に示すように、機械室１４の背面側には、背面パネル１６が設けられている。背面パネル１６には、排気口１８が形成されている。機械室１４内には、機械室風路１９が形成されている。機械室風路１９は、給気口１７から排気口１８に通じる風路である。
【００２５】
凝縮器２及び凝縮器ファン６は、機械室風路１９内に配置される。凝縮器２が機械室風路１９内に配置されているため、凝縮器２に接続される冷媒配管７も機械室風路１９内に配置される。すなわち、冷媒配管７の少なくとも一部及び凝縮器２は、筐体１０の機械室１４内に収容されている。そして、凝縮器２の内部には、空気より重い冷媒が流通する。
【００２６】
給気口１７は、機械室１４内に外気を導入するための開口である。排気口１８は、凝縮器２を通過した空気を機械室１４外に排出するための開口である。機械室１４には、通気口が形成されている。機械室１４の通気口には、前述した給気口１７及び排気口１８が含まれる。
【００２７】
ショーケース１００は、室内にいる利用者が貯蔵室１１内の商品等を出し入れできるように、その少なくとも一部が室内空間に露出して配置される。すなわち、筐体１０の少なくとも一部は、室内空間に露出して設置される。ここでは、貯蔵室１１の扉１３がある前面が室内空間に露出している。したがって、機械室１４の前面パネル１５も、室内空間に露出している。そして、前述した通気口の少なくとも一部は、室内空間に露出している。すなわち、この実施の形態の構成例では、機械室１４の通気口のうち前面パネル１５にある給気口１７が室内空間に露出している。
【００２８】
この実施の形態のショーケース１００は、閉塞装置３０を備えている。閉塞装置３０は、少なくとも室内空間に露出している前述の通気口を閉塞可能な閉塞手段である。ここで説明する構成例では、図４に示すように、通気口である給気口１７及び排気口１８の両方のそれぞれに、閉塞装置３０が設けられている。ただし、ここでは室内空間に露出している通気口は給気口１７であるため、少なくとも給気口１７に閉塞装置３０が設けられていればよい。
【００２９】
次に図５を参照しながら、この実施の形態の閉塞装置３０の構成を説明する。同図には、給気口１７に設けられる閉塞装置３０を例として示している。排気口１８に設けられる閉塞装置３０も基本的に同様の構成である。閉塞装置３０は、シャッターカーテン３１と巻き取り部３２とを備えている。
【００３０】
シャッターカーテン３１は、通気口である給気口１７を閉塞可能に開閉する。シャッターカーテン３１は、例えば複数の細長いスラットが連結されてできている。シャッターカーテン３１のスラットの素材は、例えばアルミ、鉄等の金属が望ましい。また、スラットに錆防止のめっき加工を施してもよい。
【００３１】
巻き取り部３２は、給気口１７の上縁部に設けられている。巻き取り部３２は、シャッターカーテン３１を巻き上げ可能である。巻き取り部３２でシャッターカーテン３１を巻き上げることで、給気口１７が開放される。そして、巻き取り部３２からシャッターカーテン３１を下方に繰り出すことで、給気口１７が閉塞される。
【００３２】
図５に示す構成例では、機械室１４の下面におけるシャッターカーテン３１の直下に溝部３３が形成されている。そして、シャッターカーテン３１を下ろすと、シャッターカーテン３１の下端が溝部３３の内側に収まるようになっている。このようにすることで、シャッターカーテン３１を下ろした際に、より確実に給気口１７を閉塞できる。溝部３３に、ゴム、樹脂等のシール材を設け、シャッターカーテン３１との隙間を低減させてもよい。
【００３３】
この実施の形態のショーケース１００は、図４に示すように、冷媒漏洩センサ２０を備えている。冷媒漏洩センサ２０は、機械室１４の内部に設置されている。冷媒漏洩センサ２０は、少なくとも、冷媒回路に封入されたものと同種の冷媒の濃度を検出可能である。冷媒漏洩センサ２０は、例えば、接触燃焼式、半導体式、熱伝導式、低電位電解式及び赤外線式などの各方式のセンサを用いることができる。
【００３４】
また、冷媒漏洩センサ２０として酸素センサを用いることもできる。酸素センサを用いた場合には、センサ出力に基づいて酸素濃度を求め、酸素濃度の低下分は流入ガスによるものであるとして流入ガスの濃度を逆算することで、流入ガスすなわち冷媒の濃度を間接的に検出することができる。酸素センサとしては、例えば、ガルバニ電池式、ポーラロ式及びジルコニア式等の各方式を用いることができる。
【００３５】
ここで示す構成例では、冷媒漏洩センサ２０は、機械室１４の内部における排気口１８の下側に配置されている。排気口１８は、機械室風路１９の最下流部である。したがって、この構成例では、冷媒漏洩センサ２０は、機械室風路１９における凝縮器２より下流側に配置されている。
【００３６】
ここで、機械室１４内に収容された冷媒回路を構成する部品、例えば凝縮器２、圧縮機３、冷媒配管７等のいずれかから冷媒が漏洩した場合を考える。冷媒漏洩発生時に凝縮器ファン６が運転している場合、漏洩した冷媒は、機械室風路１９に沿って排気口１８方向に流動して機械室風路１９の最下流に位置する冷媒漏洩センサ２０により検出される。一方、冷媒漏洩発生時に凝縮器ファン６が停止している場合、機械室１４内には気流が生じていない。このため、大気圧下で空気より重い冷媒は、機械室１４内の重力方向下方に滞留し、機械室１４の下部に位置する設置した冷媒漏洩センサ２０により検出される。
【００３７】
図３に示すように、機械室１４内には制御装置５０が収容されている。制御装置５０は、ショーケース１００の動作全般を制御するためのものである。この実施の形態におけるショーケース１００の制御系統の構成を図６に示す。同図に示すように、ショーケース１００は、漏洩検知部５１、記憶部５２、報知部５３及び制御部５４を備えている。これらの各部は、例えば、制御装置５０に搭載された回路により構成される。
【００３８】
漏洩検知部５１は、冷媒漏洩センサ２０の検出結果に基づいて、機械室１４内における冷媒の漏洩を検知する。前述したように、冷媒漏洩センサ２０は、直接的又は間接的に冷媒回路に封入された冷媒の濃度を検出可能である。冷媒漏洩センサ２０は、検出した冷媒の濃度に応じた検出信号を出力する。
【００３９】
冷媒漏洩センサ２０から出力された検出信号は、漏洩検知部５１に入力される。漏洩検知部５１は、まず、冷媒漏洩センサ２０からの検出信号の示す冷媒濃度が第１の基準濃度以上であるか否かを判定する。第１の基準濃度の値は予め設定される。予め設定された第１の基準濃度は、記憶部５２に記憶されている。漏洩検知部５１は、記憶部５２から取得した第１の基準濃度と冷媒漏洩センサ２０からの検出信号の示す冷媒濃度とを比較して判定を行う。
【００４０】
そして、冷媒漏洩センサ２０からの検出信号の示す冷媒濃度が第１の基準濃度以上である場合、漏洩検知部５１は、制御部５４へと冷媒漏洩検知信号を出力する。冷媒漏洩検知信号は、機械室１４内での冷媒漏洩を検知した旨の信号である。このように、冷媒漏洩センサ２０及び漏洩検知部５１は、機械室１４内における冷媒の漏洩を検知する漏洩検知手段を構成している。
【００４１】
制御部５４は、ショーケース１００が備えるアクチュエータを制御することで、ショーケース１００の動作全般を制御する。制御部５４の制御対象には、図６に明示的に記載した凝縮器ファン６、圧縮機３及び閉塞装置３０の他に、例えば、蒸発器ファン５等が含まれる。
【００４２】
制御部５４は、漏洩検知部５１から冷媒漏洩検知信号が入力された場合、閉塞装置３０を作動させる。閉塞装置３０が作動すると、巻き取り部３２によりシャッターカーテン３１が下ろされ、機械室１４の通風口である給気口１７及び排気口１８が閉塞される。すなわち、閉塞手段である閉塞装置３０は、漏洩検知手段である冷媒漏洩センサ２０及び漏洩検知部５１が機械室１４内における冷媒の漏洩を検知した場合に、少なくとも室内空間に露出している通気口である給気口１７を閉塞する。
【００４３】
したがって、蒸発器１等から機械室１４内に冷媒が漏洩した場合に、漏洩した冷媒が室内空間へと流出することを抑制できる。このため、凝縮器２等から機械室１４内に冷媒が急速に漏洩した場合であっても、ショーケース１００外部の室内空間における冷媒濃度の急上昇を防ぎ、ショーケース１００が設置された室内において冷媒濃度が一定以上となる領域が短時間のうちに形成されてしまうことを抑制できる。
【００４４】
なお、漏洩検知部５１から冷媒漏洩検知信号が出力されると、報知部５３は、冷媒の漏洩が発生したことを周囲の利用者又は作業者等に報知する。この報知部５３は、ショーケース１００の機械室１４内での冷媒漏洩を検知した旨を、音で報知するためのスピーカ又は光で報知するためのＬＥＤ等を備えている。報知部５３は、例えば、ショーケース１００の筐体１０等に設けられる。
【００４５】
この実施の形態のショーケース１００は、電源遮断装置５５を備えている。電源遮断装置５５は、ショーケース１００への電源供給を遮断可能な電源遮断手段である。漏洩検知部５１は、冷媒漏洩センサ２０からの検出信号の示す冷媒濃度が第２の基準濃度以上であるか否かを判定する。第２の基準濃度の値は、前述した第１の基準濃度よりも大きい値に予め設定される。予め設定された第２の基準濃度は、記憶部５２に記憶されている。漏洩検知部５１は、記憶部５２から取得した第２の基準濃度と冷媒漏洩センサ２０からの検出信号の示す冷媒濃度とを比較して判定を行う。
【００４６】
そして、冷媒漏洩センサ２０からの検出信号の示す冷媒濃度が第２の基準濃度以上である場合、漏洩検知部５１は、制御部５４へと冷媒漏洩継続検知信号を出力する。冷媒漏洩継続検知信号は、機械室１４内での冷媒漏洩が継続していることを検知した旨の信号である。
【００４７】
制御部５４は、漏洩検知部５１から冷媒漏洩継続検知信号が入力された場合、電源遮断装置５５を作動させる。電源遮断装置５５が作動すると、ショーケース１００への電源供給が遮断される。電源遮断手段である電源遮断装置５５は、すなわち、閉塞手段である閉塞装置３０は、機械室１４内における冷媒濃度が前述した第２の基準濃度以上であることを冷媒漏洩センサ２０が検出した場合に、ショーケース１００への電源供給を遮断する。
【００４８】
このようにすることで、機械室１４内の雰囲気に一定濃度以上の冷媒が含まれている状況下で、機械室１４内の電気品に通電されて火花等が生じてしまうことを防止できる。また、冷媒漏洩継続を判定する第２の基準濃度を、冷媒漏洩発生を判定する第１の基準濃度よりも大きくすることで、漏洩検知手段の誤作動等による不要な電源遮断を抑制できる。
【００４９】
次に、以上のように構成されたショーケース１００の動作例について、図７のフロー図を参照しながら説明する。まず、ステップＳ１においては、漏洩検知部５１は、冷媒漏洩センサ２０により検出された冷媒濃度が第１の基準濃度以上であるか否かを判定する。冷媒濃度が第１の基準濃度以上であれば、処理はステップＳ２へと進む。
【００５０】
ステップＳ２においては、漏洩検知部５１が冷媒漏洩検知信号を出力する。すると、制御部５４に冷媒漏洩検知信号が入力され、制御部５４は閉塞装置３０を作動させる。閉塞装置３０が作動すると、巻き取り部３２によりシャッターカーテン３１が下ろされ、機械室１４の通風口である給気口１７及び排気口１８が閉塞される。このため、機械室１４内に漏洩した冷媒が機械室１４の通風口から室内空間へと流出することを抑制する。ステップＳ２の後、処理はステップＳ３へと進む。
【００５１】
ステップＳ３においては、漏洩検知部５１は、冷媒漏洩センサ２０により検出された冷媒濃度が第２の基準濃度以上であるか否かを判定する。冷媒濃度が第２の基準濃度以上であれば、処理はステップＳ４へと進む。
【００５２】
ステップＳ４においては、漏洩検知部５１が冷媒漏洩継続検知信号を出力する。すると、制御部５４に冷媒漏洩継続検知信号が入力され、制御部５４は電源遮断装置５５を作動させる。電源遮断装置５５が作動すると、ショーケース１００への電源供給が遮断される。このため、機械室１４内の雰囲気に一定濃度以上の冷媒が含まれている状況下で、機械室１４内の電気品が通電された状態を解消できる。ステップＳ４の処理が完了すれば、一連の動作は終了となる。
【００５３】
一方、ステップＳ３で冷媒濃度が第２の基準濃度未満の場合、処理はステップＳ１へと戻る。また、ステップＳ１で冷媒濃度が第１の基準濃度未満の場合には、処理はステップＳ５へと進む。ステップＳ５においては、漏洩検知部５１から冷媒漏洩検知信号が出力されていれば、漏洩検知部５１は冷媒漏洩検知信号の出力を停止する。すると、制御部５４への冷媒漏洩検知信号の入力が停止され、制御部５４は閉塞装置３０の作動を解除させる。また、ステップＳ５で漏洩検知部５１から冷媒漏洩検知信号が出力されていない場合は、漏洩検知部５１は冷媒漏洩検知信号を出力しない状態を維持する。この場合、制御部５４に冷媒漏洩検知信号は入力されない。このため、制御部５４は閉塞装置３０が未作動の状態を維持する。ステップＳ５の後、処理はステップＳ１へと戻る。
【００５４】
冷媒が可燃性である場合、例えば、前述した第１の基準濃度を冷媒のＬＦＬ濃度（ＬＦＬ＝Ｌｏｗｅｒ  Ｆｌａｍｍａｂｌｅ  Ｌｉｍｉｔ：燃焼下限）の１／４とし、前述した第２の基準濃度を冷媒のＬＦＬ濃度の１／２とするとよい。
【００５５】
例えば冷媒にＲ２９０を使用した場合のショーケース１００の動作について、具体的な数値例を挙げて説明する。機械室１４の容積が５００Ｌ（＝０．５ｍ＾３）、冷媒回路に充填された冷媒の量を０．１５ｋｇ、凝縮器２からの冷媒漏洩速度を２．５ｋｇ／ｈとする。この場合、冷媒が漏洩を開始してから２１６秒が経過すると、冷媒回路に充填された冷媒の全量が機械室１４内に漏洩する。したがって、漏洩した冷媒の全てが機械室１４内に留まったとすると、冷媒の漏洩開始後、２１６秒が経過した以降の機械室１４内の冷媒濃度は０．３ｋｇ／ｍ＾３（＝１７ｖｏｌ％）となる。
【００５６】
このようなＬＦＬ濃度よりも十分に濃い雰囲気が機械室１４の通風口から室内空間に流出した場合、冷媒は室内空気よりも重いことから室内の床面上に溜っていく。このため、ショーケース１００外部の室内空間において、ＬＦＬ濃度よりも冷媒濃度が大きい領域が形成され得る。
【００５７】
この実施の形態のショーケース１００においては、冷媒が漏洩を開始してから約６秒が経過すると、機械室１４内の冷媒濃度が第１の基準濃度であるＬＦＬ濃度の１／４に達し、冷媒漏洩センサ２０及び漏洩検知部５１が機械室１４内の冷媒漏洩を検知する。すると、閉塞装置３０が作動して機械室１４の通風口が閉塞され機械室１４内の冷媒が室内空間に流出することを抑制する。また、冷媒が漏洩を開始してから約１２秒が経過すると、機械室１４内の冷媒濃度が第２の基準濃度であるＬＦＬ濃度の１／２に達し、冷媒漏洩センサ２０及び漏洩検知部５１が機械室１４内の冷媒漏洩継続を検知する。すると、電源遮断装置５５が作動してショーケース１００への電源供給が遮断される。このため、冷媒が漏洩を開始してから約２４秒が経過して機械室１４内の冷媒濃度がＬＦＬ濃度に達した時には、既にショーケース１００への電源供給が遮断された状態にできる。
【００５８】
実施の形態２．
図８を参照しながら、この発明の実施の形態２について説明する。図８は、ショーケースが備える閉塞装置の構成を説明する図である。
【００５９】
前述した実施の形態１の閉塞装置はシャッターにより機械室の通風口を閉塞するものであった。これに対し、ここで説明する実施の形態２の閉塞装置は、複数の閉塞板を回転させることで機械室の通風口を閉塞するものである。以下、この実施の形態２に係るショーケースについて、実施の形態１との相違点を中心に説明する。説明を省略した構成については実施の形態１と基本的に同様である。
【００６０】
この実施の形態に係るショーケース１００においては、機械室１４の通風口のうち少なくとも給気口１７に閉塞装置３０が設けられている。閉塞装置３０は、給気口１７を閉塞可能に開閉する閉塞手段である。この実施の形態の閉塞装置３０は、閉塞板３４と軸部３５とを備えている。閉塞板３４は、通気口である給気口１７の内側に配置されている。ここで示す構成例では、閉塞板３４は複数設けられている。ただし、閉塞板３４は１枚以上であればよい。
【００６１】
それぞれの閉塞板３４は、細長い平板状の部材である。閉塞板３４の素材は、例えばアルミ、鉄等の金属が望ましい。また、閉塞板３４に錆防止のめっき加工を施してもよい。それぞれの閉塞板３４の長手方向は給気口１７の開口面に平行に配置され、かつ、全ての閉塞板３４の長手方向は互いに平行に配置されている。
【００６２】
それぞれの閉塞板３４には、軸部３５が設けられている。軸部３５は閉塞板３４の長手方向の両端部から、長手方向に沿って外側に延びている。したがって、軸部３５は給気口１７の開口面に平行に配置される。それぞれの閉塞板３４は軸部３５を中心にして回転可能である。軸部３５は、図示しないモータ等により回転駆動されることで、閉塞板３４を給気口１７の開口面に平行な回転軸を中心に回転させる。
【００６３】
閉塞板３４の面のうち最大面積の面が給気口１７の開口面に平行な状態では、複数の閉塞板３４が隙間なく配置され、給気口１７が閉塞される（図８（ｂ））。この状態から、軸部３５によりそれぞれの閉塞板３４を回転させると、閉塞板３４同士の間に隙間が生じて給気口１７が開かれる（図８（ａ））。このように、この実施の形態の閉塞装置３０は閉塞板３４を回転させることで、機械室１４の通風口である給気口１７を開閉できる。
【００６４】
なお、ここで示す構成例では、軸部３５は水平かつ給気口１７の開口面に平行な向きに配置されているが、軸部３５の向きはこの構成例に限られない。他に例えば、軸部３５は鉛直かつ給気口１７の開口面に平行な向きに配置されてもよい。また、閉塞板３４の角度を調整することで、給気口１７から吸い込む空気を凝縮器２に導いたり、給気口１７から埃等が機械室１４に侵入することを抑制したりしてもよい。
【００６５】
その他の構成、例えば、冷媒漏洩センサ２０、制御系統の構成等は、実施の形態１と同様である。したがって、閉塞装置３０は、漏洩検知手段が機械室１４内における冷媒の漏洩を検知した場合に作動して、少なくとも室内空間に露出している機械室１４の通気口を閉塞する。このため、以上のように構成されたショーケース１００においても、実施の形態１と同様の効果を奏することができる。さらに、閉塞装置３０が通風口の内側に配置されるため、機械室１４の省スペース化を図ることができる。
【００６６】
実施の形態３．
図９から図１１を参照しながら、この発明の実施の形態３について説明する。図９はショーケースの閉塞装置が未作動時の状態を示す断面図である。図１０はショーケースの閉塞装置が作動時の状態を示す断面図である。そして、図１１はショーケースの背面図である。
【００６７】
ここで説明する実施の形態３は、前述した実施の形態１又は実施の形態２の構成において、機械室内と排出経路を介して通じた排出口を、筐体における機械室の通気口よりも高い位置に形成したものである。以下、この実施の形態３に係るショーケースについて、実施の形態１及び実施の形態２との相違点を中心に説明する。説明を省略した構成については実施の形態１又は実施の形態２と基本的に同様である。
【００６８】
この実施の形態に係るショーケース１００においては、図９から図１１に示すように、筐体１０に排出口４０及び排出経路４２が形成されている。排出口４０は、機械室１４の通気口である給気口１７及び排気口１８よりも高い位置に配置されている。ここで示す構成例では、排出口４０は筐体１０の背面部の上端に位置している。排出経路４２は、機械室１４内から排出口４０に通じる空間である。
【００６９】
ここで示す構成例では、筐体１０の背面部には、閉塞板３４が上下方向に移動可能に取り付けられている。排出経路４２は、閉塞板３４の内側に沿うようにして配置されている。通常時、すなわち、前述した漏洩検知手段が機械室１４内における冷媒の漏洩を検知していない時には、図９及び図１１（ａ）に示すように、閉塞板３４は上側に位置している。この状態では、閉塞板３４の上端側の開放部４１により排出口４０が閉塞される。また、同時に閉塞板３４の下端側の閉塞部３６により排気口１８が開放される。
【００７０】
前述した漏洩検知手段が機械室１４内における冷媒の漏洩を検知すると、図示しない駆動装置により閉塞板３４が下降され、図１０及び図１１（ｂ）に示す状態になる。この状態では、閉塞板３４の上端側の開放部４１により排出口４０が開放される。そして、同時に閉塞板３４の下端側の閉塞部３６により排気口１８が閉塞される。したがって、機械室１４内に漏洩した冷媒は、排出経路４２を通って排出口４０からショーケース１００の外部に排出される。
【００７１】
この構成例において、閉塞板３４の開放部４１は、通常時に排出口４０を閉塞し、前述の漏洩検知手段が機械室１４内における冷媒の漏洩を検知した場合に排出口４０を開放する開放手段である。また、閉塞板３４の閉塞部３６は、前述の漏洩検知手段が機械室１４内における冷媒の漏洩を検知した場合に機械室１４の通気口を閉塞する閉塞手段である。したがって、この構成例では、閉塞手段と開放手段は、閉塞板３４により一体に設けられている。
【００７２】
なお、図示を省略しているが、機械室１４の給気口１７には、実施の形態１又は実施の形態２と同様の閉塞装置が設けられている。すなわち、その他の構成、例えば、冷媒漏洩センサ２０、制御系統の構成等も、実施の形態１又は実施の形態２と同様である。したがって、閉塞装置は、漏洩検知手段が機械室１４内における冷媒の漏洩を検知した場合に作動して、少なくとも室内空間に露出している機械室１４の通気口を閉塞する。
【００７３】
このため、以上のように構成されたショーケース１００においても、実施の形態１又は実施の形態２と同様の効果を奏することができる。さらに、機械室１４内の漏洩冷媒を排出口４０から排出することで、機械室１４内での冷媒漏洩時における機械室１４の内圧上昇を抑制できる。この際、機械室１４の通気口よりも高い位置にある排出口４０から、機械室１４内の漏洩冷媒を排出することで、空気より重い冷媒がショーケース１００外部の床面付近に滞留することを抑制して冷媒の拡散を図ることが可能である。
【００７４】
なお、この実施の形態においては、前述した開放手段は備えていなくともよい。すなわち、機械室１４内での冷媒漏洩が検知されたか否かによらず、常に排出口４０が開いているようにしてもよい。
【符号の説明】
【００７５】
１    蒸発器
２    凝縮器
３    圧縮機
４    膨張弁
５    蒸発器ファン
６    凝縮器ファン
７    冷媒配管
１０    筐体
１１    貯蔵室
１２    陳列棚
１３    扉
１４    機械室
１５    前面パネル
１６    背面パネル
１７    給気口
１８    排気口
１９    機械室風路
２０    冷媒漏洩センサ
３０    閉塞装置
３１    シャッターカーテン
３２    巻き取り部
３３    溝部
３４    閉塞板
３５    軸部
３６    閉塞部
４０    排出口
４１    開放部
４２    排出経路
５０    制御装置
５１    漏洩検知部
５２    記憶部
５３    報知部
５４    制御部
５５    電源遮断装置
１００    ショーケース
【図１】
2020134083.tif 000003
【図２】
2020134083.tif 000004
【図３】
2020134083.tif 000005
【図４】
2020134083.tif 000006
【図５】
2020134083.tif 000007
【図６】
2020134083.tif 000008
【図７】
2020134083.tif 000009
【図８】
2020134083.tif 000010
【図９】
2020134083.tif 000011
【図１０】
2020134083.tif 000012
【図１１】
2020134083.tif 000013